(57)【特許請求の範囲】
【請求項１】
被取付部品７が配置される磁性体壁面１０と、
前記被取付部品７を保持しながら強力磁石８によって前記磁性体壁面１０に吸着する支持体５と、
前記磁性体壁面１０と前記支持体５との間に形成された空隙部６に挿入するために前記支持体５に保持した前記被取付部品７を避けて左右に配置され、上側突片先端部１１ｂ１、１１ｂ２と前記上側突片先端部１１ｂ１、１１ｂ２から後方に向かって徐々に高くなる斜面を形成した上側突片後端部１１ｃ１、１１ｃ２によって構成された上側突片部１１と、
前記上側突片部１１よりも下側で左右に配置された下係合部１２ａ１、１２ａ２からなる係合部１２と、
前記上側突片部１１と前記係合部１２の基部を連結した連結部１３と、を有し、
連結して一体化した前記上側突片部１１と前記係合部１２と連結部は非磁性体材で構成され、
前記連結部１３には、前記上側突片部１１とは反対方向に支持筐体１５を取り付け、
前記支持筐体１５は筒体で形成され、前記支持筐体１５の中には、その支持筐体１５を引くときに、先端が前記支持体５に接触して前記支持体５を押し出す機能と、前記支持筐体１５に引きずられて前記支持体５の追従を防止するストッパとして機能する離脱棒１７を、前記支持筐体１５に対して移動可能な状態で内蔵させたことを特徴とする支持体の移動調整用工具。
【請求項２】
前記支持筐体１５の上面に位置識別表示１９を施したことを特徴とする請求項１に記載の支持体の移動調整用工具。
【請求項３】
前記空隙部６は、前記磁性体壁面１０側に前記強力磁石８を配置した前記支持体５の上側に設けた右側空隙部６ａ１と左側空隙部６ａ２によって構成し、
この右側空隙部６ａ１と左側空隙部６ａ２に挿入される前記上側突片部１１は、
Ａ：支持体５の上側上面と磁性体壁面１０との接触面の間の空隙部６の高さ
Ｂ：上側突片部１１の上側突片先端部１１ｂ１、１１ｂ２の高さ
Ｃ：上側突片部１１の上側突片後端部１１ｃ１、１１ｃ２の高さ
としたときに、それぞれの高さはＢ＜Ａ＜Ｃとなるように構成し、
前記連結部１３と前記上側突片部１１と前記係合部１２は、前記上側突片先端部１１ｂ１、１１ｂ２を前記支持体５の上側で前記空隙部６となる部分に挿入することにより、前記支持体５を前記連結部１３の前記上側突片部１１と前記係合部１２との隙間１４に入れて挟むと共に、
前記被取付部品７は、前記支持体５との間に配置したスプリング９に逆らって前記係合部１２を被取付部品の肩２１に係合させて浮き上がりを防止して、前記支持体５に保持され、
前記支持体５に保持されて前記磁性体壁面１０の所望する位置に移動した前記被取付部品７は、前記強力磁石８によって前記磁性体壁面１０の所望する位置に吸着した前記支持体５との間に配置された前記スプリング９の力で前記磁性体壁面１０に押し付けられ、
前記磁性体壁面１０に吸着した前記支持体５は、前記突片先端部１１ｂ１、１１ｂ２が前記磁性体壁面１０に沿って前記空隙部６に挿入することにより、前記被取付部品７と一緒に前記磁性体壁面１０から離脱することを特徴とする請求項１又は２に記載の支持体の移動調整用工具。
【発明の詳細な説明】
【０００１】
【発明が属する技術分野】
本発明は、強力永久磁石（以下、強力磁石という）付き保持部品を１ｍ近辺の奥まった場所にある磁性体壁面の所望する位置への吸着と離脱を確実かつ容易に出来る強力磁石付き保持部品とその移動調整用工具に関する。
【０００２】
【従来の技術】
従来の強力磁石付き保持部品を磁性体壁面に手動で取り付ける際、弱い磁石の場合は、何等問題はないが、強力磁石の場合は、所望する位置の近傍に持って行くだけで、磁性体壁面に強力かつ瞬間的に吸引されて思った場所にいかず、所望する正確な位置に吸着することは非常に難しかった。また、一旦強力に吸着されてしまった強力磁石付き保持部品を所望する正確な位置に微調整移動するには強い吸引力のため非常に難しいという問題があった。これに対して、我々が同日に提出した特願２００１-０４１０３６号の発明は、比較的ラフで簡単な近距離移動（約１ｍ以内）の場合や比較的精度を要する微調整の移動に有効で問題を殆ど解決することが出来た。
【０００３】
【発明が解決しようとする課題】
しかしながら、奥まった狭い場所に設置してある外径の大きな磁性体製貯槽・容器の底等に保持部品の被取付部品（センサー等）を取り付ける場合には、距離がほぼ１ｍ程度になってしまうので、手では届かず、困難であり、先の発明のままでは利用することが困難であるという新たな問題が発生した。この為、大きな磁性体製貯槽・容器を設置する前に保持部品と被取付部品を磁性体製貯槽・容器の底等に取り付けてから設置しなければならず、時間と手間が掛かってしまうという欠点があった。
【０００４】
【課題を解決するための手段】
本発明は、これらの問題を解決するものであって、被取付部品７が配置される磁性体壁面１０と、前記被取付部品７を保持しながら強力磁石８によって前記磁性体壁面１０に吸着する支持体５と、前記磁性体壁面１０と前記支持体５との間に形成された空隙部６に挿入するために前記支持体５に保持した前記被取付部品７を避けて左右に配置され、上側突片先端部１１ｂ１、１１ｂ２と前記上側突片先端部１１ｂ１、１１ｂ２から後方に向かって徐々に高くなる斜面を形成した上側突片後端部１１ｃ１、１１ｃ２によって構成された上側突片部１１と、前記上側突片部１１よりも下側で左右に配置された下係合部１２ａ１、１２ａ２からなる係合部１２と、前記上側突片部１１と前記係合部１２の基部を連結した連結部１３と、を有し、
連結して一体化した前記上側突片部１１と前記係合部１２と連結部は非磁性体材で構成され、前記連結部１３には、前記上側突片部１１とは反対方向に支持筐体１５を取り付け、前記支持筐体１５は筒体で形成され、前記支持筐体１５の中には、その支持筐体１５を引くときに、先端が前記支持体５に接触して前記支持体５を押し出す機能と、前記支持筐体１５に引きずられて前記支持体５の追従を防止するストッパとして機能する離脱棒１７を、前記支持筐体１５に対して移動可能な状態で内蔵させたことを特徴とする。
その具体的な構成は、前記支持筐体１５の上面に位置識別表示１９を施しており、前記空隙部６は、前記磁性体壁面１０側に前記強力磁石８を配置した前記支持体５の上側に設けた右側空隙部６ａ１と左側空隙部６ａ２によって構成し、
この右側空隙部６ａ１と左側空隙部６ａ２に挿入される前記上側突片部１１は、Ｂ：移動調整用工具３の突片先端部１１ｂ１、１１ｂ２の高さ＜Ａ：支持体５の上側上面と磁性体壁面１０との接触面の間の空隙部６ａ１、６ａ２の高さ＜Ｃ：移動調整用工具３の突片後端部１１ｃ１、１１ｃ２の高さとなるように構成し、
前記連結部１３と前記上側突片部１１と前記係合部１２は、前記上側突片先端部１１ｂ１、１１ｂ２を前記支持体５の上側で前記空隙部６となる部分に挿入することにより、前記支持体５を前記連結部１３の前記上側突片部１１と前記係合部１２との隙間１４に入れて挟んでいる。
また、前記被取付部品７は、前記支持体５との間に配置したスプリング９に逆らって前記係合部１２を被取付部品の肩２１に係合させて浮き上がりを防止して、前記支持体５に保持され、
前記支持体５に保持されて前記磁性体壁面１０の所望する位置に移動した前記被取付部品７は、前記強力磁石８によって前記磁性体壁面１０の所望する位置に吸着した前記支持体５との間に配置された前記スプリング９の力で前記磁性体壁面１０に押し付けられ、
前記磁性体壁面１０に吸着した前記支持体５は、前記突片先端部１１ｂ１、１１ｂ２が前記磁性体壁面１０に沿って前記空隙部６に挿入することにより、前記被取付部品７と一緒に前記磁性体壁面１０から離脱することが可能になる。
【０００５】
【発明の実施の形態】
以下、本発明の強力磁石付き保持部品とその移動調整用工具の実施形態について添付図面を参照して詳細に説明する。
【０００６】
【実施例】
図１（イ）は、本発明の強力磁石付き保持部品とその移動調整用工具１の説明図である、図から明らかなように、最初は、上側突片先端部11b1,11b2及び前記上側突片先端部11b1,11b2から後方に向かって徐々に高く斜面を形成した上側突片後端部11c1,11c2からなる複数個の上側突片部11と複数の下側係合部12をコの字型連結部13で連結して一体化した非磁性体材の長手後方に支持筐体15を取り付け、支持筐体15の中に移動可能な離脱棒17を内蔵させた移動調整用工具３である。次に、その移動調整用工具３の支持筐体15の上面に位置識別表示19を施した移動調整用工具３である。本発明の非磁性体材としては、価格面と磁性体製貯槽・容器等に傷が付きにくいという理由からプラスチックのナイロン材を使用したが、完全な非磁性体である必要はなく、若干の磁性体が入ったものでも問題はない。支持筐体の材質としては、軽くて強いアルミを使用したが必ずしもこれに限らなくても構わない。離脱棒の材質としては、本発明の場合、金属を使用したが要は押し出す機能が有れば良く、木材でも構わず、材質には拘らない。支持筐体に内蔵されている離脱棒の長さは、支持筐体の長さより長くし、かつ支持筐体を手前に引いた場合でも抜け落ちないようにストッパーを施してある。次に、図１（ロ）は、本発明の移動調整用工具３の中央にある支持筐体14の上面に位置識別表示19を施した状態の説明図である。本発明の位置識別表示としては、代表的な目盛り表示で実施したが、一定間隔毎に位置識別マークを施したものでも構わない。更に、図１（ハ）は、本発明の保持部品を磁性体壁面に吸着する場合の説明図である。図から明らかなように、予め、Ｂ：移動調整用工具３の突片先端部11ｂ1、11ｂ2の高さ＜Ａ：支持体５の上側上面と磁性体壁面10との接触面の間の空隙部6a1,6a2の高さ＜Ｃ：移動調整用工具３の突片後端部11ｃ1,11ｃ2の高さとなるように構成しておく。このような構成の為、保持部品４を磁性体壁面10に吸着する場合には、予め、強力磁石８の面を上側にした保持部品４に、離脱棒の把持部18を固定部兼把持部16より手前に長く出した状態で固定しておいて移動調整用工具３の突片先端部11b1,11b2を挿入することにより保持部品の支持体５をコの字型連結部13の隙間に入れて挟む際、被取付部品７をスプリング９に逆らって下方に押して下側係合部12a1、12a2を被取付部品の肩21に係合させて被取付部品７の浮き上がりを防止し、この状態で、磁性体壁面の所望する位置に移動した後、支持筐体15を手前に引くことにより、支持体５が磁性体壁面10に吸着する阻害要因がなくなるので、離脱棒17の左端に接触した強力磁石付き保持部品２は移動出来ずそのままの位置で磁性体壁面10の所望する位置に吸着され、その際、被取付部品７は下側係合部12a1、12a2の係合が解かれ、スプリング９の力で磁性体壁面10に押し付けられる。支持体５の上側に設けたスプリング９は、支持体５を下方に押し付ける力が働くので、移動調整用工具からの落下防止の役割の一端を担っている。離脱棒17は、保持部品が移動調整用工具に引きずられて追従することを防止する為のストッパになる。本発明のスプリングには、代表的なコイルスプリングを使用した。最後に、図１（ニ）は、本発明の磁性体壁面に吸着された保持部品を磁性体壁面から離脱する場合の説明図���ある。磁性体壁面10に吸着された保持部品４を磁性体壁面10から離脱する場合には、突片先端部11b1,11b2を、磁性体壁面10に沿って空隙部６に挿入することにより、突片部11が、後方に向かって徐々に高く斜面を形成してあるので、強力磁石付き保持部品４が磁性体壁面10から離脱して保持部品の支持体５がコの字型連結部13の隙間14に入って挟まれ移動調整用工具３に保持固定され、磁性体壁面10から浮き上がって移動が可能になる。
【０００７】
以上のような構造であるため、図１（ロ）に示すように、支持体の上面に位置識別表示をしてあるので、磁性体製貯槽・容器の外周に吊した分銅20等を基準にして取り付けるべき正しい位置を設定することにより、保持部品（センサー等）を磁性体製貯槽・容器等の磁性体の底等の正しい位置に確実でかつ容易に吸着や離脱をすることが可能になる。尚、実際の保持部品のセンサー等には、ケーブルが接続されているが、図面では省略する。離脱棒の把持部は、必ずしもなくても構わないが、あった方が作業上好ましい。本発明の場合には、比較的１ｍ近辺で奥まった狭い場所への部品の吸着や離脱の場合に最適である。
【０００８】
本発明の実施例では、強力磁石付き保持部品とその移動調整用工具１を強力磁石が２個の場合で、しかも突片先端部が２個の場合の具体的代表例で説明してきたが、これに限らず、複数個設けたものでも構わない。更に、移動調整用工具の形状、強力磁石保持器の形状や材質等は各種変形したものでも一向に構わず、設計上本発明の範囲内であることはいうまでもない。
【０００９】
【発明の効果】
以上説明のように、本発明の強力磁石付き保持部品とその移動調整用工具１によれば、強力永久磁石付き保持部品を１ｍ近辺の奥まった場所にある磁性体壁面の所望する位置への吸着と離脱を確実かつ容易に出来るという優れた効果があるので、その工業的価値は大きい。
【図面の簡単な説明】
【図１】（イ）は、本発明の強力磁石付き保持部品とその移動調整用工具の説明図である。
（ロ）は、本発明の移動調整用工具の中央にある支持筐体の上面に位置識別表示を施した状態の説明図である。
（ハ）は、本発明の保持部品を磁性体壁面に吸着した状態の説明図である。
（ニ）は、本発明の磁性体壁面に吸着された保持部品を磁性体壁面から離脱した状態の説明図である。
【符号の説明】
１      本発明の強力磁石付き保持部品とその移動調整用工具
２      本発明の強力磁石付き保持部品
３      本発明の移動調整用工具
４      保持部品
５      支持体
６      支持体５の上側上面と磁性体製貯槽・容器の磁性体壁面10との接触面の間の空隙部
６ａ１  支持体５の上側上面と磁性体製貯槽・容器の磁性体壁面10との接触面の間の右側空隙部
６ａ２  支持体５の上側上面と磁性体製貯槽・容器の磁性体壁面10との接触面の間の左側空隙部
７      被取付部品
８      強力磁石
９      スプリング
10      磁性体製貯槽・容器の磁性体壁面
11      突片部
11ｂ1   右上片先端部
11ｂ2   左上突片先端部
11ｃ1   右上突片後端部
11ｃ2   左上突片後端部
12      係合部
12ａ１  右下係合部
12ａ２  左下係合部
13      連結部
13ａ１  右上連結部
13ａ２  左上連結部
13ｂ１  右下連結部
13ｂ２  左下連結部
14      隙間
15      支持筐体
16      固定部兼把持部
17      離脱棒
18      離脱棒の把持部
19      位置識別表示
20      分銅
21      被取付部品の肩
Ａ      支持体５の上側上面と磁性体製貯槽・容器の磁性体壁面10との接触面の間の空隙部の高さ６ａ１、６ａ２
Ｂ      移動用調整工具９の突片先端部11の高さ11ｂ１、11ｂ２
Ｃ      移動用調整工具９の突片後端部11の高さ11ｃ１、11ｃ２
【図１】
0004737733.tif 000002